(57)【要約】【課題】パチンコ店内に設置したパチンコ玉又はスロットルコインの相互の交換を同一の機器で交換できること、及び貯玉（貯コイン）も同時に行えるパチンコ玉・スロットルコインの交換機を提供する。【解決手段】パチンコ玉からのスロットルコイン枚数換算機及びスロットルコインからのパチンコ玉換算機を同一の器機内に内蔵し、店で設定した換算率に応じて演算機によりコイン・パチンコ玉の貸出を一々店外に出て換金を行わずにでき、又貯蓄機能を併設することによって、カードを使用することにより貯玉（貯コイン）も同一の器機により出来るため一層遊技を楽しめる。【選択図】    図１
2004188154.tif 000002
【特許請求の範囲】
【請求項１】
パチンコ玉からのコイン枚数換算機及びスロットルコインからのパチンコ玉換算機を同一の器機に内蔵し、換算率を設定した演算装置により、コイン貸出及びパチンコ玉貸出を行うことを特徴としたパチンコ玉・スロットルコイン交換機。
【請求項２】
パチンコ玉及びスロットルコインの投入口を同一の投入口とし、器機内に設けた一個の計数器によりそれぞれを選別してパチンコ玉は換算したコイン数と、スロットルコインはパチンコ換算玉数として表示位置に表示され、それぞれを別の貸出口から排出する請求項１に記載のパチンコ玉・スロットルコイン交換機。
【請求項３】
パチンコ玉及びスロットルコインの投入口を別に設け、器機内に設けたそれぞれの計数器によりパチンコ玉は換算したコイン数と、スロットルコインはパチンコ換算玉数として表示位置に表示され、それぞれを別の貸出口から排出する請求項１に記載のパチンコ玉・スロットルコイン交換機。
【請求項４】
パチンコ玉及びスロットルコインの貯蓄機能を併設したことを特徴とした請求項１に記載のパチンコ玉・スロットルコイン交換機。
【発明の詳細な説明】
【０００１】
【発明の属する技術分野】
本発明は、パチンコ玉からスロットルマシン用のコインへ、或はスロットルマシン用のコインからパチンコ玉との交換を同一の器機で行うことのできるパチンコ玉・スロットルコインの交換機に関する。
【０００２】
【従来の技術】
パチンコ玉数又はスロットルマシン用コイン枚数により、これに見合った景品と交換することは遊技場では一般に行われている。またパチンコ玉を景品だけでなく遊技やショッピングゾーンで利用する特殊な交換管理システムも特開２００１−０２９６２７号公報に開示されている。
【０００３】
パチンコ玉又はスロットルコインをカードにより遊技店に預け、累積したパチンコ玉又はスロットルコインを分割して引き出すことのできる貯蓄機も知られていて、これによってカードを登録して貯玉を持っている会員は現金の所持がなくても貯蓄機のデーターベースに記録されている範囲内でゲームができるという便利さが加味されるようになった。
【０００４】
【発明が解決しようとする課題】
最近のパチンコ店又は遊技場ではパチンコ台とスロットルマシン台の相方を設備していて両方を楽しむことができるようになっていることが多い。
【０００５】
しかし、パチンコをしていて気分を変えるためにスロットルマシンで遊ぼうとする場合、或は逆にスロットルマシンからパチンコ台に移る場合、パチンコ玉又はスロットルマシンのコインを一旦外に出て換金し、このお金でコイン又はパチンコ玉を借入れるという面倒な手順を踏まなければならなかった。
【０００６】
【課題を解決するための手段】
このため遊技施設の中で楽しく遊んでいる人にとっては極めて不便であった。発明者はこの点に鑑み鋭意研究を重ねた結果本発明に到達したものであって、本発明は同一の器機内にパチンコ玉からコインへの換算機と、コインからパチンコ玉への換算機を内装させて、利用者はパチンコ玉からコインへ、或はコインからパチンコ玉へ簡単に換算交換できる交換機を提供するもので、この交換機を遊技場内に設置することによって遊技者は景品にかえたり、換金したりする面倒な手間が省け楽しく遊技をすることができる。
【０００７】
更に本発明のパチンコ玉・スロットルコイン交換機は、コンピューターによって管理した貯蓄機能を併設することによって同一の機械装置でパチンコ玉・スロットルコインの出入れ、及び交換ができてパチンコ店や遊技場に通い易くして、遊技を楽しむことができる交換機を提供する。
【０００８】
【発明の実施の形態】
添付図面により本発明の実施の形態を説明すると、図１は本発明のパチンコ玉・スロットルコイン交換機の全体を示す斜視図であり、図２はこの交換機の作動工程を示したフローチャートである。
【０００９】
図１において、（１）はパチンコ玉またはコインの投入口であり、（２）は選別されたパチンコ玉数またはコインの枚数表示枠を示す。（３）は換算係数設定部であって、この内側には遊技店が予め設定したパチンコ玉とコインの換算計数器が内蔵されている。
【００１０】
（４）、（５）は前記換算計数器で演算した数の表示欄で（４）はパチンコ玉に対してのコイン数を表示し、（５）はコインに対してパチンコ玉の表示欄である。符号（６）のボタンは増減ボタンを示していて、表示されたコイン又は玉数は投入数の範囲内で増減できる。
【００１１】
符号（７）は決定ボタンであって、このボタン（７）を押すことによってコインの場合はコイン貸出口（８）から換算したコインの枚数が出る。またパチンコ玉の場合は玉貸出口（９）から換算したパチンコ玉の玉数が出る。符号（１０）は取消しボタンであって、このボタン（１０）を押すことによって操作が取消されて投入時のコイン又は玉は、コインの場合はコイン貸出口（８）から、又パチンコ玉の場合は玉貸出口（９）から返還される。
【００１２】
図中の（１１）はコインの補充口とパチンコ玉の補充口を示していて、不足したコイン又はパチンコ玉を補充する投入口である。そしてこの器機の上部にはランプ（１２）、（１３）が設けられていて、器機内の玉またはコインが不足している場合にはランプ（１２）が点滅し、（１）より投入されたコイン又はパチンコ玉が下部に充満すると（１３）のランプが点滅し、店員が取出口（１４）より排出する。この取出口（１４）は、図においては器機の側面一ヶ所に設けられているが、実際には反対側にも同様の取出口があって、コインとパチンコ玉はそれぞれ別れて排出される。
【００１３】
図２のフローチャートを図１の器機と対比して説明すると、図にあってはパチンコ玉・スロットルコイン投入口を一個の投入口（１）として設けてあるが、この投入口はパチンコ玉用の投入口と、スロットルコインの投入口を別々に設けることも可能であって、このように投入口を別々に設けた場合には計数器も別々に設けることが可能である。
【００１４】
計数されたパチンコ玉数又はスロットルコインの枚数は、パチンコホールが設定した（注１）換算率で演算され、パチンコ玉はコイン枚数と、又コインはパチンコ玉数に換算されて表示欄（４）、（５）に表示される。このコイン枚数・パチンコ玉数は投入数の範囲内で増減でき、片方の増減で予めパチンコホールで設定してある演算値にてもう片方も自動的に増減する。
【００１５】
このような設定した換算率で出た半端な数、例えばコイン１枚に満たない場合は、パチンコ玉で還元し、パチンコ玉１個に満たない場合は切り捨てとする。
【００１６】
そして次に決定ボタンを押すことによってコインはコイン貸出口（８）から、又パチンコ玉はパチンコ玉貸出口（９）から換算コイン数・パチンコ玉数が貸出される。この操作を取消す場合は取消ボタン（１０）を押すことによって投入時のコイン又はパチンコ玉はコインはコイン貸出口（８）から、又パチンコ玉はパチンコ玉貸出口（９）から返還される。
【００１７】
交換機内のコイン・パチンコ玉の残数が少なくなった場合には残数不足ランプ（１２）が点滅して係員に知らせるが、この場合は装置上部の補充口（１１）から補充し、又装置内にコイン又はパチンコ玉が満杯になったときはＦｕｌｌランプ（１３）が点滅して知らせる。
【００１８】
また、本発明の交換機に併設した貯蓄機能は、演算機に設けたコンピューターシステムに預けたパチンコ玉又はスロットルコインの数値が格納される。会員はＩＣカードを使用して、玉数を操作してパチンコ玉を預けるか、又は引き出すことができる。またスロットルコインについても同様の操作によって希望する枚数を預けるか引き出す。
【００１９】
【発明の効果】
本発明は上述のようにパチンコ台からスロットルマシン台に移る場合、又はこの逆にスロットルマシン台からパチンコ台に移る場合、一々換金のために店外に出ることなく店内の交換機を使用することによって簡単にできる。
【００２０】
更に本発明は、貯蓄機能を併設することによって、利用者はカード一枚持参することで遊技を楽しむことができるため、一層パチンコ店や遊技場に通い易くして気軽に遊べるという作用効果を奏する。
【図面の簡単な説明】
【図１】本発明装置の全体を示す斜視図
【図２】フローチャート図
【符号の説明】
（１）…コイン・パチンコ玉投入口
（２）…投入コイン・パチンコ玉数表示欄
（３）…換算係数設定部
（４）…換算コイン数表示欄
（５）…換算パチンコ玉数表示欄
（６）…増減ボタン
（７）…決定ボタン
（８）…コイン貸出口
（９）…パチンコ玉貸出口
（１０）…取消ボタン
（１１）…補充口
（１２）…残数不足ランプ
（１３）…Ｆｕｌｌランプ
（１４）…取出口
【図１】
2004188154.tif 000003
【図２】
2004188154.tif 000004